【手続補正書】
【提出日】平成21年3月13日(2009.3.13)
【手続補正１】
【補正対象書類名】特許請求の範囲
【補正対象項目名】全文
【補正方法】変更
【補正の内容】
【特許請求の範囲】
【請求項１】
携帯型情報処理装置本体に設けられた開口部内に外部機器接続用のインターフェースコネクタが設けられ、前記インターフェースコネクタに外部機器に接続されたケーブルが接続可能に構成された携帯型情報処理装置のコネクタ着脱装置であって、
前記携帯型情報処理装置本体の開口部を開閉する蓋体を有し、
前記インターフェースコネクタはロック機構とそのロック機構のロックを解除する一対のロック解除レバーを備え、
前記蓋体には前記一対のロック解除レバーと対応する位置に爪形状からなる一対のフックを設け、
前記蓋体の一対のフックを前記一対のロック解除レバーに係合させて前記インターフェースコネクタのロック機構を解除可能に構成したことを特徴とする携帯型情報処理装置のコネクタ着脱装置。
【手続補正２】
【補正対象書類名】明細書
【補正対象項目名】全文
【補正方法】変更
【補正の内容】
【発明の詳細な説明】
【発明の名称】携帯型情報処理装置のコネクタ着脱装置
【技術分野】
【０００１】
本発明は、携帯型情報処理装置（以下ノートパソコンという）のコネクタ着脱装置に関するものである。
【背景技術】
【０００２】
近年、急速にパーソナルコンピュータが普及し、現在では家庭、オフィスでの使用、あるいは屋外へノートパソコンを携帯しての利用などが増加しており、これらの機器における使用方法も多様である。その反面、携帯するが故にノートパソコンを誤って落下させることなどにより故障に直面することも多々ある。
【０００３】
場合によってはハードディスクドライブ内のデータのバックアップ、リカバリーといった修理作業も必要になる。
また、ノートパソコンのハードディスクドライブ内のデータを外部インターフェースコネクタを介して外部機器に転送することも行われており、その場合コネクタのロック機構の操作が容易ではなく、例えば、特許文献１に示されているようなロック機構は複雑で、かつその操作が面倒なものであった。
【特許文献１】実開昭５８−１０６９９３号公報
【発明の開示】
【発明が解決しようとする課題】
【０００４】
ノートパソコンのハードディスクドライブ内のデータを外部に転送する場合には、ハードディスクドライブそのものを、製品分解し取り外しした後に外部接続を行うか、もしくは、プリント基板に実装された外部インターフェースコネクタを介して外部機器への接続を行っていた。この外部インターフェースコネクタには、ケーブルが外れにくくするロック機構が付属されていることが多く、ロック解除レバーによりこのロック機構解除後、コネクタにケーブルを接続する必要がある。
【０００５】
本発明は、外部機器を接続してハードディスクドライブのデータを転送するために、外部インターフェースコネクタのロック機構の解除を容易にし、コネクタ着脱を容易にすることを目的とする。
【課題を解決するための手段】
【０００６】
本発明は、携帯型情報処理装置本体に設けられた開口部内に外部機器接続用のインターフェースコネクタが設けられ、前記インターフェースコネクタに外部機器に接続されたケーブルが接続可能に構成された携帯型情報処理装置のコネクタ着脱装置であって、前記携帯型情報処理装置本体の開口部を開閉する蓋体を有し、前記インターフェースコネクタはロック機構とそのロック機構のロックを解除する一対のロック解除レバーを備え、前記蓋体には前記一対のロック解除レバーと対応する位置に爪形状からなる一対のフックを設け、前記蓋体の一対のフックを前記一対のロック解除レバーに係合させて前記インターフェースコネクタのロック機構を解除可能に構成したものであり、これにより外部接続用ケーブルのコネクタへの着脱が容易に行える。
【０００７】
また、本発明は、前記蓋体の一対のフックは前記携帯型情報処理装置本体の開口部に嵌合する前記蓋体のフックと兼用することを特徴とするものであり、これにより携帯型情報処理装置本体の開口部と嵌合する蓋体のフックとは別に、新たにコネクタのロック解除用のフックを用意する必要がなくなる。
【発明の効果】
【０００８】
以上のように本発明は、携帯型情報処理装置本体の開口部を開閉する蓋体に、インターフェースコネクタのロック機構のロックを解除する一対のロック解除レバーと対応する位置に爪形状からなる一対のフックを設け、前記蓋体の一対のフックを前記一対のロック解除レバーに係合させてそのインターフェースコネクタのロック機構を解除可能に構成したものであり、これにより外部接続用ケーブルのコネクタへの着脱操作が容易に行える。
【発明を実施するための最良の形態】
【０００９】
（実施の形態１）
図１は本発明のノートパソコンの本体裏面の図である。
【００１０】
図１において、１１はノートパソコン本体であり本体裏面を示している。１２は外部機器接続用の開口部、１３はその開口部のカバー（蓋体）である。
【００１１】
図２はノートパソコン本体１１の開口部１２を拡大した図であり、開口部１２のカバー１３を外した状態である。
【００１２】
図２において、２１はプリント基板２３上に配置している外部機器接続用に使用する外部インターフェースコネクタである。この外部インターフェースコネクタ２１には、不用意にケーブルが外れないようにロック機構のロックを解除する一対のロック解除レバー２４が施されている。開口部１３の非常に狭い範囲でのコネクタ着脱については、指を入れてロック解除レバー２４を緩め、コネクタの着脱をするのが難しいため、カバー１３の先端に前記ロック機構のロックを解除するロック解除用の爪形状からなる一対のフック２２が設けられている。
【００１３】
図３はカバー１３に設けられたフック２２を用いてロック解除レバー２４を解除する動作手順を説明する図である。
【００１４】
以上のように構成されたノートパソコンのコネクタ着脱装置について、図１、図２、図３を用いてその動作を説明する。
【００１５】
まず、ノートパソコン１１の開口部１２のカバー１３を外す。図３において、カバー１３の先端に設けられたロック解除用の一対のフック２２を一対のロック解除レバー２４とプリント基板２３の隙間にそれぞれ図３（ａ）矢印の方向に挿入し、図３（ｂ）において矢印方向にカバー１３に力を加えながらロック解除レバー２４を起こして外部インターフェースコネクタ２１に備えられたロック機構のロックを解除する（図３（ｃ））。
【００１６】
図２において、カバー１３の先端に設けられている一対のフック２２の取り付け位置は、一対のロック解除レバー２４の取り付け位置に対応して配置されているので、２カ所のロック解除を同時に行うことができる。このようにカバー１３の先端に設けられている一対のフック２２によって外部インターフェースコネクタ２１に備えられたロック機構のロックを容易に解除することができるため、外部接続用に使用するケーブル（図示せず）と外部インターフェースコネクタ２１との着脱操作が容易となる。
【００１７】
以上のように本実施の形態によれば、外部機器接続用の開口部のカバーに設けた一対のフックにより、外部インターフェースコネクタ２１に備えられたロック機構の一対のロックを容易に解除することができ、これにより、外部接続用に使用するケーブルと外部インターフェースコネクタとの着脱のための作業が容易となる。また、ハードディスク接続用ケーブルの外部インターフェースコネクタの着脱が容易になるために、コネクタ着脱時に誤って近傍のプリント基板のパターンを傷つけることもない。
【００１８】
なお、以上の説明では一対のフック２２はコネクタのロック機構の解除用としたが、フック２２を図４のようにノートパソコン本体１１の開口部１２にカバー１３を取り付けるフック機構と兼用であってもよい。
【産業上の利用可能性】
【００１９】
本発明にかかる携帯型情報処理装置のコネクタ着脱装置は、外部機器接続用の開口部のカバーにフックを設けることにより、外部接続用に使用するケーブルと外部インターフェースコネクタとの着脱作業が容易になるといった効果を有し、携帯型情報処理装置のコネクタ着脱装置等として有用である。
【図面の簡単な説明】
【００２０】
【図１】本発明のノートパソコンの本体裏面の図
【図２】ノートパソコン本体の開口部を拡大した図
【図３】カバーに設けられたフックを用いてロック解除レバーを解除する動作手順を説明する図
【図４】ノートパソコン本体の開口部のカバーのフック機構を兼用したことを説明する図
【符号の説明】
【００２１】
１１  携帯型情報処理装置（ノートパソコン）本体
１２  外部機器接続用の開口部
１３  開口部のカバー
２１  外部インターフェースコネクタ
２２  フック
２３  プリント基板
２４  ロック解除レバー